(57)【要約】【課題】簡単な構造で溶接用ワイヤのガイドを行える溶接用ワイヤ供給装置を提供する。【解決手段】内筒１１と外筒１５との間の環状の空間１３内にワイヤ積層体３を収納し、このワイヤ積層体３の上に環状の押さえ板１７を配置するペールパックに回転式のワイヤ引出装置９を取り付ける。溶接用ワイヤ３ａを外部に導出する導出孔２５ｂにガイドするガイド蓋７を外筒１５の上側端部に取り付ける。ワイヤ引出装置９を内筒１１の上側端部に着脱可能に装着する。ワイヤ引出装置９のワイヤ通路４１ａの環状の押さえ板１７に対する位置関係は、溶接用ワイヤ３ａに引出力が加わって該引出力の分力でアーム部材３９が回転する際に、常にワイヤ積層体３から間隙２１を通して溶接用ワイヤ３ａをスムーズに引き出すことを可能にするように定める。【選択図】  図１
2004337957.tif 000002
【特許請求の範囲】
【請求項１】
少なくとも上側端部が開口する内筒と、前記内筒との間に環状の空間を形成するように前記内筒と同心的に配置され且つ上側端部が開口する外筒とを有するパック容器と、
溶接用ワイヤに外側に広がる内部応力を発生させるように捻りを加えた状態で前記内筒の周りを回り且つ層を成すように前記溶接用ワイヤを前記環状の空間内に収納して構成されたワイヤ積層体と、
前記ワイヤ積層体の上に前記溶接用ワイヤの引き出しが可能な状態で載せられる環状の押さえ板を備え、前記ワイヤ積層体から前記溶接用ワイヤが跳ね上がるのを防止するワイヤ押さえ部材と、
前記溶接用ワイヤを外部に導出する導出孔を備え、前記溶接用ワイヤを前記導出孔にガイドする立体的な形状を有して前記外筒の前記上側端部に取り付けられた絶縁性のガイド蓋とを具備し、
前記溶接用ワイヤが前記環状の押さえ板と前記外筒の内周面との間の間隙を通して引出される溶接用ワイヤ供給装置であって、
前記内筒の前記上側端部には、前記ワイヤ積層体から前記間隙を通して前記溶接用ワイヤをスムーズに引き出し且つ前記導出孔に向かう前記溶接用ワイヤをガイドする機能を発揮するワイヤ引出装置が配置されており、
前記ワイヤ引出装置は、前記内筒の前記上側端部に着脱可能に装着される構造を有する装着部と、前記装着部に取り付けられ且つ前記装着部の中心部を通り且つ前記内筒が延びる方向に延びる回転中心線を中心に回転する回転機構と、前記回転機構に支持されて前記回転中心線を中心にして旋回するアーム部材と、前記アーム部材の先端に設けられて前記溶接用ワイヤが通るワイヤ通路を有するワイヤ通路構成部とを備えており、
前記ワイヤ通路の前記環状の押さえ板に対する位置関係は、前記溶接用ワイヤに引出力が加わって該引出力の分力で前記アーム部材が回転する際に、常に前記ワイヤ積層体から前記間隙を通して前記溶接用ワイヤをスムーズに引き出すことを可能にするように定められ、
前記ワイヤ通路は、前記アーム部材が回転する際に、前記溶接用ワイヤとの間に必要以上に大きな摩擦抵抗を生じさせないように構成され、
前記アーム部材は前記ワイヤ通路と前記導出孔との間を通る前記溶接ワイヤの障害にならないように設けられていることを特徴とする溶接用ワイヤ供給装置。
【請求項２】
前記ワイヤ通路の前記環状の押さえ板に対する位置関係は、前記ワイヤ通路が前記押さえ板の外周面と前記外筒の内周面との間の領域の上に位置するように定められている請求項１に記載の溶接用ワイヤ供給装置。
【請求項３】
前記ワイヤ通路構成部は、前記アーム部材と一体に設けられており、前記ワイヤ通路の中心を通る通路中心線は前記中心を通る垂線に対して前記アーム部材の回転方向に所定の角度傾いており、
前記所定の角度は、前記ワイヤ通路を通る前記溶接用ワイヤと前記ワイヤ通路を囲む通路囲繞部との間の接触抵抗が、実質的に最小になるように定められている請求項１に記載の溶接用ワイヤ供給装置。
【請求項４】
前記ワイヤ通路構成部は、内部に前記ワイヤ通路を有する筒状部材と、前記ワイヤ通路の前記中心を通る通路中心線と直交する仮想直交線を中心にして前記筒状部材が回転するように前記筒状部材を前記アーム部材に対して回転自在に支持する支持構造部とからなる請求項１に記載の溶接用ワイヤ供給装置。
【請求項５】
前記回転中心線と直交し且つ前記ワイヤ通路の前記中心を通る仮想水平線と前記仮想直交線との間の交差角度は、前記溶接用ワイヤが前記ワイヤ通路を通して引き出されているときに前記通路中心線が前記導出孔または前記導出孔近傍に向かって延びるように定められている請求項４に記載の溶接用ワイヤ供給装置。
【請求項６】
前記支持構造部は、前記交差角度の変更ができるように構成されている請求項５に記載の溶接用ワイヤ供給装置。
【請求項７】
前記支持構造部は、前記アーム部材に取り付けられて前記内筒と前記外筒との間に形成された前記空間の内部に向かって延びる連結部材と、
一体に前記筒状部材が固定され且つ前記連結部材の先端部に軸受けを介して回転自在に取り付けられた回転軸とからなる請求項４に記載の溶接用ワイヤ供給装置。
【請求項８】
前記連結部材と前記アーム部材との間の継ぎ手及び／または前記連結部材と前記軸受けとの間の継ぎ手は、前記連結部材と前記アーム部材との間の角度及び／または前記連結部材と前記軸受けとの間の角度を変更できるように構成されている請求項７に記載の溶接用ワイヤ供給装置。
【請求項９】
前記装着部は、前記回転機構が取り付けられる取付板と、前記取付板の裏面側に設けられて前記内筒の内周面と接触する複数のリブとからなり、
前記複数のリブは前記内筒の周方向に所定の間隔をあけて配置されており、
前記複数のリブの前記内筒の内壁面と接触する面には、前記内筒に挿入されていく過程で、前記内筒を徐々に押し広げるように機能するテーパが形成されている請求項１に記載の溶接用ワイヤ供給装置。
【請求項１０】
前記装着部は、前記回転機構が取り付けられる取付板と、前記取付板の裏面側に設けられて前記内筒の内周面と接触する複数のリブとからなり、
前記複数のリブは、前記取付板に対して前記内筒の径方向に取付位置変更可能に取り付けられている請求項１に記載の溶接用ワイヤ供給装置。
【請求項１１】
前記アーム部材は、前記ワイヤ通路構成部が設けられている先端が位置する側とは反対側に向かって延びる延長部を有しており、前記延長部の先端に前記ワイヤ通路構成部との重量バランスをとるためのバランス用重錘が設けられていることを特徴とする請求項１〜１０のいずれか１つに溶接用ワイヤ供給装置。
【請求項１２】
前記回転機構は、指が挿入可能な環状の把持部を有しており、
前記ワイヤ引出装置は、前記把持部により持ち上げ可能である請求項１〜１１のいずれか１つに溶接用ワイヤ供給装置。
【請求項１３】
溶接ワイヤ収納パック容器の内筒の上側端部に着脱可能に装着される構造を有する装着部と、前記装着部に取り付けられ且つ前記装着部の中心部を通り且つ前記内筒が延びる方向に延びる回転中心線を中心に回転する回転機構と、前記回転機構に支持されて前記回転中心線を中心にして回転するアーム部材と、前記アーム部材の先端に設けられて前記溶接用ワイヤが通るワイヤ通路を有するワイヤ通路構成部とを備え、
前記アーム部材及び前記ワイヤ通路構成部は、一本の金属棒が加工されて一体に形成されており、
前記ワイヤ通路の中心を通る通路中心線は前記中心を通る垂線に対して前記アーム部材の回転方向に所定の角度傾いており、
前記所定の角度は、前記ワイヤ通路を通る前記溶接用ワイヤと前記ワイヤ通路を囲む通路囲繞部との間の接触抵抗が、実質的に最小になるように定められているパック容器用ワイヤ引出装置。
【請求項１４】
溶接ワイヤ収納パック容器の内筒の上側端部に着脱可能に装着される構造を有する装着部と、前記装着部に取り付けられ且つ前記装着部の中心部を通り且つ前記内筒が延びる方向に延びる回転中心線を中心に回転する回転機構と、前記回転機構に支持されて前記回転中心線を中心にして回転するアーム部材と、前記アーム部材の先端に設けられて前記溶接用ワイヤが通るワイヤ通路を有するワイヤ通路構成部とを備え、
前記ワイヤ通路構成部は、内部に前記ワイヤ通路を有する筒状部材と、前記ワイヤ通路の前記中心を通る通路中心線と直交する仮想直交線を中心にして前記筒状部材が回転するように前記筒状部材を前記アーム部材に対して回転自在に支持する支持構造部とからなり、
前記回転中心線と直交し且つ前記ワイヤ通路の前記中心を通る仮想水平線と前記仮想直交線との間の交差角度は、前記溶接用ワイヤが前記ワイヤ通路を通して引き出されているときに前記通路中心線が前記導出孔または前記導出孔近傍に向かって延びるように定められているパック容器用ワイヤ引出装置。
【発明の詳細な説明】
【０００１】
【発明の属する技術分野】
本発明は、溶接用ワイヤ供給装置及びパック容器用ワイヤ引出装置に関するものである。
【０００２】
【従来の技術】
内筒と外筒との間の環状の空間内にワイヤ積層体を収納し、このワイヤ積層体の上に環状の押さえ板を配置するペールパックと呼ばれる溶接用ワイヤ供給装置が知られている。この種の溶接用ワイヤ供給装置では、溶接用ワイヤが環状の押さえ板と外筒の内周面との間の間隙を通して引出される。しかしながら、この溶接用ワイヤ供給装置では、溶接用ワイヤを引き出す方向が変化すると、溶接用ワイヤが内筒を締め付けるように引き出され、溶接用ワイヤの引出しが中断するおそれがある。特にペールパックを新たなものに交換して溶接用ワイヤを新たに引き出す作業を行う際に、このような内筒の締め付けが顕著になる。そこで、特開平９−２２７０２４号公報に示されるように、ペールパックに回転式ワイヤ引出装置を取り付けた溶接用ワイヤ供給装置が提案された。この回転式ワイヤ引出装置は、上方から吊された支柱に支持されて内筒の中心線を中心に回転する回転機構と、この回転機構に支持されて回転中心線を中心にして回転するアーム部材と、アーム部材の先端に設けられて溶接用ワイヤが通るワイヤ通路を有するワイヤ通路構成部とを備えている。この溶接用ワイヤ供給装置では、溶接用ワイヤが環状の押さえ板と外筒の内周面との間の間隙を通して引出される際に、ワイヤ引出装置によって溶接用ワイヤの引出しがガイドされるため、内筒を締め付けることなく、ワイヤ積層体から溶接用ワイヤが引き出される。
【０００３】
【特許文献１】特開平９−２２７０２４号公報（第６頁、図１及び図２）
【０００４】
【発明が解決しようとする課題】
しかしながら、この溶接用ワイヤ供給装置では、上方から吊された支柱等をペールパック上に配備する必要があり、装置の構造が大掛かりなものになる。また、回転式ワイヤ引出装置によって溶接用ワイヤが引き出される際に溶接用ワイヤが他の部材に接触して漏電するおそれがある。また、溶接用ワイヤを引出す際に、溶接用ワイヤがワイヤ通路構成部に強く接触するため、溶接用ワイヤがスムーズに引出されなくなるおそれがある。
【０００５】
本発明の目的は、簡単な構造で溶接用ワイヤのガイドを行える溶接用ワイヤ供給装置及びパック容器用ワイヤ引出装置を提供することにある。
【０００６】
本発明の他の目的は、ワイヤ引出装置によって溶接用ワイヤが引き出される際に溶接用ワイヤの絶縁を図ることができる溶接用ワイヤ供給装置及びパック容器用ワイヤ引出装置を提供することにある。
【０００７】
本発明の更に他の目的は、溶接用ワイヤをスムーズに引出すことができる溶接用ワイヤ供給装置及びパック容器用ワイヤ引出装置を提供することにある。
【０００８】
【課題を解決するための手段】
本発明が改良の対象とする溶接用ワイヤ供給装置は、少なくとも上側端部が開口する内筒と、内筒との間に環状の空間を形成するように内筒と同心的に配置され且つ上側端部が開口する外筒とを有するパック容器と、溶接用ワイヤに外側に広がる内部応力を発生させるように捻りを加えた状態で内筒の周りを回り且つ層を成すように溶接用ワイヤを環状の空間内に収納して構成されたワイヤ積層体と、ワイヤ積層体の上に溶接用ワイヤの引き出しが可能な状態で載せられる環状の押さえ板を備えワイヤ積層体から溶接用ワイヤが跳ね上がるのを防止するワイヤ押さえ部材と、溶接用ワイヤを外部に導出する導出孔を備え溶接用ワイヤを導出孔にガイドする立体的な形状を有して外筒の前記上側端部に取り付けられた絶縁性のガイド蓋とを具備している。そして、溶接用ワイヤが環状の押さえ板と外筒の内周面との間の間隙を通して引出される。本発明では、内筒の上側端部にワイヤ積層体から前述の間隙を通して溶接用ワイヤをスムーズに引き出し且つ導出孔に向かう溶接用ワイヤをガイドする機能を発揮するワイヤ引出装置を配置する。ワイヤ引出装置は、内筒の上側端部に着脱可能に装着される構造を有する装着部と、装着部に取り付けられ且つ装着部の中心部を通り且つ内筒が延びる方向に延びる回転中心線を中心に回転する回転機構と、回転機構に支持されて回転中心線を中心にして旋回するアーム部材と、アーム部材の先端に設けられて溶接用ワイヤが通るワイヤ通路を有するワイヤ通路構成部とを備えている。ワイヤ通路の環状の押さえ板に対する位置関係は、溶接用ワイヤに引出力が加わって該引出力の分力で前記アーム部材が回転する際に、常にワイヤ積層体から間隙を通して溶接用ワイヤをスムーズに引き出すことを可能にするように定める。また、ワイヤ通路は、アーム部材が回転する際に、溶接用ワイヤとの間に必要以上に大きな摩擦抵抗を生じさせないように構成し、アーム部材はワイヤ通路と導出孔との間を通る溶接ワイヤの障害にならないように設ける。
【０００９】
本発明のように、装着部によってワイヤ引出装置を内筒の上側端部に着脱可能に装着すれば、従来のように、上方から吊された支柱等の大がかりな配備することなく、簡単な構造で溶接用ワイヤのガイドが行える。また、本発明では、パック容器上に配置された絶縁性のガイド蓋内に回転式のワイヤ引出装置を配置するため、回転式ワイヤ引出装置によって溶接用ワイヤが引き出される際に溶接用ワイヤの絶縁を図ることができ、溶接用ワイヤが他の部材に接触して漏電するのを防ぐことができる。また、本発明では、ワイヤ通路は、アーム部材が回転する際に、溶接用ワイヤとの間に必要以上に大きな摩擦抵抗を生じさせないように構成し、アーム部材はワイヤ通路と導出孔との間を通る溶接ワイヤの障害にならないように設けるため、溶接用ワイヤを引出す際に、溶接用ワイヤがワイヤ通路構成部に強く接触することがなく、溶接用ワイヤをスムーズに引出すことができる。なお、特開２００１−１７９４４５号公報等には、フランジ付きボビンに巻回された溶接用ワイヤを回転式のワイヤ引出装置で引き出す溶接用ワイヤ供給装置が示されている。しかしながらこのような溶接用ワイヤ供給装置では、引出し中にボビンに巻回された溶接用ワイヤがほぐれて外に広がりだしたり、溶接用ワイヤにゴミ等が付着するという問題が生じる。また、溶接用ワイヤが引き出される際に溶接用ワイヤが他の部材に接触して漏電するおそれがある。
【００１０】
ワイヤ通路の環状の押さえ板に対する位置関係は、ワイヤ通路が押さえ板の外周面と外筒の内周面との間の領域の上に位置するように定めるのが好ましい。このようにすれば、環状の押さえ板と外筒の内周面との間の間隙からの溶接用ワイヤの引き出しを確実に維持できる。
【００１１】
ワイヤ通路構成部は、種々構造のものを採用することができる。例えば、金属棒の加工や鋳造等により、アーム部材と一体に設けて構成することができる。この場合、ワイヤ通路の中心を通る通路中心線は中心を通る垂線に対してアーム部材の回転方向に所定の角度傾け、この所定の角度は、ワイヤ通路を通る溶接用ワイヤとワイヤ通路を囲む通路囲繞部との間の接触抵抗が、実質的に最小になるように定めるのが好ましい。このようにすれば、溶接用ワイヤが通路囲繞部に強く接触することがなく、溶接用ワイヤをスムーズに引出すことができる。
【００１２】
また、ワイヤ通路構成部は、内部にワイヤ通路を有する筒状部材と、ワイヤ通路の中心を通る通路中心線と直交する仮想直交線を中心にして筒状部材が回転するように筒状部材をアーム部材に対して回転自在に支持する支持構造部とから構成することができる。このようにすれば、内部にワイヤ通路を有する筒状部材を溶接用ワイヤの引き出し方向に応じて筒状部材がアーム部材に対して回転し、溶接用ワイヤの筒状部材への接触抵抗を小さくすることができる。
【００１３】
また、回転中心線と直交し且つワイヤ通路の中心を通る仮想水平線と前述の仮想直交線との間の交差角度は、溶接用ワイヤがワイヤ通路を通して引き出されているときに通路中心線が導出孔または導出孔近傍に向かって延びるように定めればよい。このようなことによっても、溶接用ワイヤの筒状部材への接触抵抗を小さくすることができる。
【００１４】
前述の交差角度の変更ができるように支持構造部を構成すれば、パック容器の形状及び寸法に応じて簡単に交差角度を変更して溶接用ワイヤの引き出しをスムーズに行うことができる。
【００１５】
支持構造部は、例えば、アーム部材に取り付けられて内筒と外筒との間に形成された空間の内部に向かって延びる連結部材と、一体に筒状部材が固定され且つ連結部材の先端部に軸受けを介して回転自在に取り付けられた回転軸とから構成することができる。この場合、前述の交差角度の変更ができるようにするには、支持構造部を構成する連結部材とアーム部材との間の継ぎ手及び／または連結部材と軸受けとの間の継ぎ手が、連結部材とアーム部材との間の角度及び／または連結部材と軸受けとの間の角度を変更できるように構成すればよい。
【００１６】
装着部は、例えば、回転機構が取り付けられる取付板と、取付板の裏面側に設けられて内筒の内周面と接触する複数のリブとから構成することができる。この場合、複数のリブは内筒の周方向に所定の間隔をあけて配置し、複数のリブの内筒の内壁面と接触する面には、内筒に挿入されていく過程で、内筒を徐々に押し広げるように機能するテーパを形成するのが好ましい。また、複数のリブは、取付板に対して内筒の径方向に取付位置変更可能に取り付けるのが好ましい。このようにすれば、内筒の内周の径寸法に製造誤差が生じても、径寸法に応じて複数のリブを内筒にしっかりと嵌合させることができる。
【００１７】
アーム部材は、ワイヤ通路構成部が設けられている先端が位置する側とは反対側に向かって延びる延長部を有しており、延長部の先端にワイヤ通路構成部との重量バランスをとるためのバランス用重錘を設けるのが好ましい。このようにすれば、アーム部材により回転機構に偏った力が加わるのを防止でき、回転機構の寿命を延ばすことができる。
【００１８】
回転機構は、指が挿入可能な環状の把持部を有しているのが好ましい。このようにすれば、ワイヤ引出装置は、把持部により簡単に持ち上げることができる。
【００１９】
【発明の実施の形態】
以下、図面を参照して本発明の実施の形態を詳細に説明する。図１は、本発明の一実施の形態の溶接用ワイヤ供給装置の部分断面図である。本図に示すように、本例の溶接用ワイヤ供給装置は、パック容器１と、パック容器１内に収納されたワイヤ積層体３と、ワイヤ積層体３上に配置されたワイヤ押さえ部材５と、パック容器１上に配置されたガイド蓋７と、ガイド蓋７内に配置されたワイヤ引出装置９とを有している。パック容器１は、少なくとも上側端部が開口する内筒１１と、内筒１１との間に環状の空間１３を形成するように内筒１１と同心的に配置され且つ上側端部が開口する外筒１５とを有している。ワイヤ積層体３は、溶接用ワイヤ３ａに外側に広がる内部応力を発生させるように捻りを加えた状態で内筒１１の周りを回り且つ層を成すように溶接用ワイヤ３ａが環状の空間１３内に収納されて構成されている。
【００２０】
ワイヤ押さえ部材５は、図１及び図２の平面図に示すように、環状の押さえ板１７と押さえ板１７に取り付けられた６個の羽根部材１９…とを有している。押さえ板１７は、剛性を有する樹脂製の環状の板からなり、内周面１７ａと内筒１１の外周面１１ａとの間に僅かな隙間が形成され、外周面１７ｂと外筒１５の内周面１５ａとの間に間隙２１が形成されるように、ワイヤ積層体３の上に載せられている。これにより、ワイヤ積層体３からの溶接用ワイヤ３ａの跳ね上がりが防止されながら、溶接用ワイヤ３ａは間隙２１を通して引き出される。また、押さえ板１７には、押さえ板１７の重量を調整するための１２個の貫通孔１７ｃ…が形成されている。６個の羽根部材１９…は、それぞれ可撓性を有する細長い樹脂片から形成されており、２つの留め具２３によってそれぞれ押さえ板１７に固定されている。この羽根部材１９は、１枚の樹脂片から形成してもよいし、複数枚の樹脂片を重ね合わせて形成してもよい。本例の羽根部材１９は、２枚の樹脂片を重ね合わせて形成している。６個の羽根部材１９…は、押さえ板１７の周方向に等間隔に位置し且つ押さえ板１７の外周面１７ｂから径方向外側に突出するように押さえ板１７に固定されている。各羽根部材１９は、押さえ板１７がワイヤ積層体３の上に載せられた際に、その端部が外筒１５の内周面１５ａと撓んだ状態で接触する。このため、溶接用ワイヤ３ａは、ワイヤ積層体３から引き出される際に羽根部材１９と外筒１５の内周面１５ａとの間に挟まれ、その後に、両者の間から抜け出るようにして引き出される。
【００２１】
ガイド蓋７は、蓋本体２５と蓋本体２５に取り付けられたワイヤ導出用部材２７とを有している。蓋本体２５は、切頭円錐形の立体的な輪郭形状を有する透明の樹脂から形成されており、底面側に一面開口状の開口部２５ａを有し、上面側に溶接用ワイヤ３ａを外部に導出する導出孔２５ｂを有している。蓋本体２５は、環状の空間１３から引き出された溶接用ワイヤ３ａを導出孔２５ｂにガイドできるように、開口部２５ａの縁部が外筒１５の上側端部に嵌合されて取り付けられている。また、蓋本体２５には、外部から蓋本体２５内に作業者の手を挿入できるように蓋本体２５を貫通する矩形の挿入用孔２９が形成されている。そして、挿入用孔２９の外側には、留め金具３１に固定された透明の樹脂カバー３３が挿入用孔２９を覆うように配置されている。
【００２２】
ワイヤ導出用部材２７は、導出孔２５ｂに嵌合可能な取付部２７ａと取付部２７ａと一体に結合された筒部２７ｂとを有している。取付部２７ａ及び筒部２７ｂ内には両者を貫通して、溶接用ワイヤ３ａを通過させる通過孔２７ｃが形成されている。環状の空間１３から引き出された溶接用ワイヤ３ａは、通過孔２７ｃを通して外部の溶接機に導出される。
【００２３】
ワイヤ引出装置９は、図１及び図３の平面図に示すように、内筒１１の上側端部に着脱可能に装着される装着部３５と、装着部３５に取り付けられた回転機構３７と、回転機構３７に支持されたアーム部材３９と、アーム部材３９の先端に設けられたワイヤ通路構成部４１とを備えている。装着部３５は、樹脂製の円形の取付板４３と、取付板４３の裏面の周縁に一体に結合された筒状部４５と、取付板４３の裏面及び筒状部４５上に設けられる４つのリブ４７…と、取付板４３の裏面の中央に一体に結合されて回転機構３７が取り付けられる回転機構取付部４９とを有している。４つのリブ４７…は内筒１１の周方向に等間隔をあけて配置されている。一つのリブ４７は、図４の斜視図に示すように、筒状部４５と間隔を隔てて対向して該筒状部４５とほぼ平行に延びる対向壁部５１と、対向壁部５１と筒状部４５とを連結し取付板４３の径方向に延びる一対の側壁部５３，５３と、対向壁部５１と筒状部４５とを連結し対向壁部５１に対して傾斜して配置される傾斜壁部５５とを有している。傾斜壁部５５には、内筒１１にリブ４７が挿入されていく過程で、内筒１１を徐々に押し広げるように機能するテーパ５５ａが形成されている。
【００２４】
回転機構３７は、回転軸５７と把持部５９と有している。回転軸５７は、回転機構取付部４９に２つの軸受５８，６０を介して回転自在に支持されている。これにより、回転機構３７は、装着部３５の中心部を通り且つ内筒１１が延びる方向に延びる回転中心線Ｃ１を中心に回転する。把持部５９は、内部に作業者の指が挿入可能な円形の環状形を有している。これにより、ワイヤ引出装置９は、把持部５９を用いて簡単に持ち上げることができる。
【００２５】
アーム部材３９は、金属棒によりほぼ直線状に形成されており、回転機構３７の回転軸５７に形成された貫通孔５７ａを貫通して、該貫通孔５７ａ内において回転軸５７に固定されている。また、アーム部材３９は、先端にワイヤ通路構成部４１が取り付けられたアーム本体部６１と、回転軸５７を間に介してアーム本体部６１が位置する側とは反対側に向かって延びるバランス用重錘部６３とを有している。アーム本体部６１及びバランス用重錘部６３は、いずれもほぼ同じ長さ及び重量を有して、外筒１５の内周面１５ａの近傍まで延びている。また、アーム本体部６１及びバランス用重錘部６３は、各先端部がワイヤ積層体３側に延びるように、内筒１１上で僅かに折れ曲がっている。このような構造により、アーム部材３９は、回転機構３７に支持された状態で回転中心線Ｃ１を中心にして旋回する。
【００２６】
ワイヤ通路構成部４１は、図５（Ａ）及び（Ｂ）に示すように、溶接用ワイヤ３ａが通るワイヤ通路４１ａを内部に形成するように円環状を有しており、曲げ加工が施された１本の金属棒によってアーム部材３９と一体に形成されている。なお、本例では、ワイヤ通路構成部４１が金属棒で形成されているため、ワイヤ通路４１ａは、非常に短いものとなっている。ワイヤ通路構成部４１は、図５（Ｂ）に示すように、ワイヤ通路４１ａの中心を通る通路中心線Ｃ２が該中心を通る垂線Ｌ１に対してアーム部材３９の回転方向Ｒ１に所定の角度θ１で傾いている。この角度θ１は、ワイヤ通路４１ａを通る溶接用ワイヤ３ａとワイヤ通路４１ａを囲む通路囲繞部４１ｂとの間の接触抵抗が、実質的に最小になるように定められている。本例では角度θ１は、３５°であった。また、ワイヤ通路４１ａの環状の押さえ板１７に対する位置関係は、図１に示すように、ワイヤ通路４１ａが押さえ板１７の外周面１７ｂと外筒１５の内周面１５ａとの間の領域Ａの上に位置するように定められている。
【００２７】
本例の溶接用ワイヤ供給装置では、溶接用ワイヤ３ａが環状の押さえ板１７と外筒１５の内周面１５ａとの間の間隙２１を通して引出されると、溶接用ワイヤ３ａの引き出しに伴って溶接用ワイヤ３ａが通過するワイヤ通路構成部４１が回転中心線Ｃ１を中心にＲ１の方向（図３）に回転して、ワイヤ通路構成部４１は、導出孔２５ｂに向かう溶接用ワイヤ３ａをガイドする。本例のように、ワイヤ通路４１ａの環状の押さえ板１７に対する位置関係が定められていると、溶接用ワイヤ３ａに引出力が加わって該引出力の分力でアーム部材３９が回転する際に、常にワイヤ積層体３から間隙２１を通して溶接用ワイヤ３ａをスムーズに引き出すことができる。また、ワイヤ通路４１ａは、アーム部材３９が回転する際に、溶接用ワイヤ３ａとの間に必要以上に大きな摩擦抵抗を生じさせることがなく、アーム部材３９はワイヤ通路４１ａとガイド蓋７の導出孔２５ｂとの間を通る溶接ワイヤ３ａの障害にはならない。
【００２８】
図６は、本発明の他の実施の形態の溶接用ワイヤ供給装置の部分断面図である。本例の溶接用ワイヤ供給装置は、ワイヤ引出装置を除いて図１に示す溶接用ワイヤ供給装置と同じ構造を有している。そのため、ワイヤ引出装置を除く部材には図１に示す符号と同じ符号を付して説明を省略する。本例の溶接用ワイヤ供給装置のワイヤ引出装置８１は、図６及び図７の平面図に示すように、内筒１１の上側端部に着脱可能に装着される構造を有する装着部８３と、装着部８３に取り付けられた回転機構８５と、回転機構８５に支持されたアーム部材８７と、アーム部材８７の先端に設けられたワイヤ通路構成部８９とを備えている。装着部８３は、金属製の円形の取付板９１と、取付板９１の裏面上に設けられる４つのリブ９３…と、取付板９１の裏面の中央に結合されて回転機構８５が取り付けられる回転機構取付部９５とを有している。取付板９１には、取付板９１の重量を調整するための４つの貫通孔９１ａ…が形成されている。４つのリブ９３…は内筒１１の周方向に等間隔をあけて配置されている。一つのリブ９３は、図８の斜視図に示すように矩形の板状を呈しており、中央に貫通孔９３ａを有している。また、一つのリブ９３は、取付板９１に形成された２つの長孔９７（図７）をそれぞれ貫通する２つの螺子９９により取付板９１に取り付けられている。長孔９７は、内筒１１の径方向に延びるように形成されているため、４つのリブ９３…は、取付板９１に対して内筒１１の径方向に取付位置変更可能に取り付けられることになる。そのため、内筒１１の内周の径寸法に応じて４つのリブ９３…の位置を適宜に調整して、４つのリブ９３…を内筒１１にしっかりと嵌合させることができる。
【００２９】
回転機構８５は、回転軸１０１と把持部１０３と有している。回転軸１０１は、回転機構取付部９５に２つの軸受１０５，１０７を介して回転自在に支持されている。これにより、回転機構８５は、装着部８３の中心部を通り且つ内筒１１が延びる方向に延びる回転中心線Ｃ１１を中心に回転する。把持部１０３は、内部に作業者の指が挿入可能な円形の環状形を有している。
【００３０】
アーム部材８７は、金属棒によりほぼ直線状に形成されており、回転軸１０１に固定されている。このアーム部材８７は、先端にワイヤ通路構成部８９が取り付けられたアーム本体部１０９と、回転軸１０１を間に介してアーム本体部１０９が位置する側とは反対側に向かって延びる延長部１１１と延長部１１１の端部に取り付けられたバランス用重錘部１１３とを有している。延長部１１１とバランス用重錘部１１３とを合わせた重量がアーム本体部１０９とワイヤ通路構成部８９とを合わせた重量にほぼ等しくなるように、バランス用重錘部１１３の重量は調整されている。アーム部材８７は、回転機構８５に支持された状態で回転中心線Ｃ１１を中心にして旋回する。
【００３１】
ワイヤ通路構成部８９は、図９に示すように筒状部材１１５と筒状部材１１５をアーム部材８７に対して支持する支持構造部１１７とを有している。筒状部材１１５は、外形が六角柱で内部に円形のワイヤ通路１１５ａを有する筒形状を有している。支持構造部１１７は、連結部材１１９と連結部材１１９の先端部に取り付けられた回転軸１２１とを有している。連結部材１１９は、アーム部材８７に取り付けられて内筒１１と外筒１５との間に形成された空間１３の内部に向かって延びる本体部１１９ａと本体部１１９ａの端部に一体に取り付けられた筒部１１９ｂとを有している。回転軸１２１は筒状部材１１５に一体に固定され且つ連結部材１１９の筒部１１９ｂ内にスリーブ軸受け１２３を介して回転自在に取り付けられている。これにより、支持構造部１１７は、ワイヤ通路１１５ａの中心を通る通路中心線Ｃ１２と直交する仮想直交線Ｃ１３を中心にして筒状部材１１５が回転するように筒状部材１１５をアーム部材８７に対して回転自在に支持している。また、筒部１１９ｂの反対側に位置する本体部１１９ａの端部は、本体部１１９ａ及びアーム部材８７にそれぞれ形成された２つの長孔をそれぞれ貫通する２つの螺子１２５によりアーム部材８７に取り付けられている。これにより、回転中心線Ｃ１１と直交し且つワイヤ通路１１５ａの中心を通る仮想水平線Ｃ１４と前述の仮想直交線Ｃ１３との間の交差角度θ２は、容易に変更することができる。言い換えるならば、連結部材１１９とアーム部材８７との間の継ぎ手は、連結部材１１９とアーム部材８７との間の角度を変更できるように構成されている。本例では、溶接用ワイヤ３ａがワイヤ通路１１５ａを通して引き出されているときに通路中心線Ｃ１２が導出孔２５ｂまたはその近傍に向かって延びるように交差角度θ２を１０°に定めている。また、ワイヤ通路１１５ａの環状の押さえ板１７に対する位置関係は、図６に示すように、ワイヤ通路１１５ａが押さえ板１７の外周面１７ｂと外筒１５の内周面１５ａとの間の領域Ａの上に位置するように定められている。本例の溶接用ワイヤ供給装置も図１に示す溶接用ワイヤ供給装置と同様に、溶接用ワイヤ３ａが環状の押さえ板１７と外筒１５の内周面１５ａとの間の間隙２１を通して引出されると、溶接用ワイヤ３ａの引き出しに伴って溶接用ワイヤ３ａが通過するワイヤ通路構成部８９が回転中心線Ｃ１１を中心にＲ２の方向（図７）に回転して、ワイヤ通路構成部８９は、導出孔２５ｂに向かう溶接用ワイヤ３ａをガイドする。本例の溶接用ワイヤ供給装置のように通路中心線Ｃ１２が導出孔２５ｂまたはその近傍に向かって延びると、溶接用ワイヤ３ａの筒状部材１１５への接触抵抗を小さくすることができ、溶接用ワイヤ３ａの引き出しをスムーズに行うことができる。
【００３２】
【発明の効果】
本発明によれば、装着部によってワイヤ引出装置を内筒の上側端部に着脱可能に装着するので、従来のように、上方から吊された支柱等の大がかりな配備することなく、簡単な構造で溶接用ワイヤのガイドが行える。また、本発明では、パック容器上に配置された絶縁性のガイド蓋内に回転式のワイヤ引出装置を配置するため、回転式ワイヤ引出装置によって溶接用ワイヤが引き出される際に溶接用ワイヤの絶縁を図ることができ、溶接用ワイヤが他の部材に接触して漏電するのを防ぐことができる。また、本発明では、ワイヤ通路は、アーム部材が回転する際に、溶接用ワイヤとの間に必要以上に大きな摩擦抵抗を生じさせないように構成し、アーム部材はワイヤ通路と導出孔との間を通る溶接ワイヤの障害にならないように設けるため、溶接用ワイヤを引出す際に、溶接用ワイヤがワイヤ通路構成部に強く接触することがなく、溶接用ワイヤをスムーズに引出すことができる。
【図面の簡単な説明】
【図１】本発明の一実施の形態の溶接用ワイヤ供給装置の部分断面図である。
【図２】図１に示す溶接用ワイヤ供給装置に用いるワイヤ押さえ部材の平面図である。
【図３】図１に示す溶接用ワイヤ供給装置に用いるワイヤ引出装置の平面図である。
【図４】図３に示すワイヤ引出装置の部分斜視図である。
【図５】（Ａ）及び（Ｂ）は、図３に示すワイヤ引出装置のアーム部材の正面図及び側面図である。
【図６】本発明の他の実施の形態の溶接用ワイヤ供給装置の部分断面図である。
【図７】図６に示す溶接用ワイヤ供給装置に用いるワイヤ引出装置の平面図である。
【図８】図７に示すワイヤ引出装置の部分斜視図である。
【図９】図７に示すワイヤ引出装置のアーム部材の正面図である。
【符号の説明】
１  パック容器
３  ワイヤ積層体
５  ワイヤ押さえ部材
７  ガイド蓋
９，８１  ワイヤ引出装置
１１  内筒
１３  環状の空間
１５  外筒
２１  間隙
２５ｂ  導出孔
３５，８３  装着部
３７，８５  回転機構
３９，８７  アーム部材
４１，８９  ワイヤ通路構成部
４１ａ，１１５ａ  ワイヤ通路
４１ｂ  通路囲繞部
４３，９１  取付板
４７，９３  リブ
５７，１０１  回転軸
１１５  筒状部材
１１７  支持構造部
１１９  連結部材
１２１  回転軸
Ｃ１，Ｃ１１  回転中心線
【図１】
2004337957.tif 000003
【図２】
2004337957.tif 000004
【図３】
2004337957.tif 000005
【図４】
2004337957.tif 000006
【図５】
2004337957.tif 000007
【図６】
2004337957.tif 000008
【図７】
2004337957.tif 000009
【図８】
2004337957.tif 000010
【図９】
2004337957.tif 000011